(57)【要約】本発明は、家電機器（３）に制御情報を入力するための方法および装置、並びに制御システムに関する。ここではそれぞれのユーザがとりわけ指紋に基づいて生物測定学的に識別される。方法、相応の装置および制御システムを発展させるために、ユーザを生物測定学的識別によって複数のユーザレベルおよび／または権限レベルの１つんび割当てることが提案される。
2004524615.tif 000002
【特許請求の範囲】
【請求項１】
家電機器（３）に制御情報を入力する方法であって、それぞれのユーザの生物測定学的識別をとりわけ指紋に基づいて実行される方法において、
ユーザを生物測定学的識別によって、複数のユーザレベルおよび／または権限レベルの１つに割当てる、
ことを特徴とする方法。
【請求項２】
個別の付加情報を各ユーザごとに記憶する、請求項１記載の方法。
【請求項３】
各権限レベルに付加情報を割当てる、請求項１または２記載の方法。
【請求項４】
指紋によって付加情報を個別調整の形態でアクティベートし、有利には種々の権限レベルでの機能に対する標準設定からの変化とする、請求項１から３までのいずれか１項記載の方法。
【請求項５】
未知のユーザによって生物測定学的識別および／または操作が失敗した場合、所定の最小範囲の機能および／または調整手段がイネーブルされる、請求項１から４までのいずれか１項記載の方法。
【請求項６】
子供には生物測定学的識別によって最小のユーザ権および／または調整権が認められ、とりわけ照明のスイッチオンまたはレンジを例えば予調理された食品を加熱するのに適する約５０から６０℃までスイッチオンすることが認められる、請求項１から５までのいずれか１項記載の方法。
【請求項７】
権限のあるユーザによる調整および／またはプログラミングの終了後、これを意図しない変更に対して保護し、これにより子供が変更を行うことができないようにする、請求項１から６までのいずれか１項記載の方法。
【請求項８】
権限のあるユーザを新たに識別した後で初めて、再変更を行うことができる、請求項１から７までのいずれか１項記載の方法。
【請求項９】
子供保護の形式を、権限のあるユーザの指の載置によってアクティベートし、とりわけ再び載置することによりデアクティベートし、その際にマウスを走らせる必要がない、請求項１から８までのいずれか１項記載の方法。
【請求項１０】
生物測定学的識別を指紋の容量性測定によって行い、とりわけシリコンチップ（８）の形態のＨＬアレイによって行う、請求項１から９までのいずれか１項記載の方法。
【請求項１１】
生物測定学的識別を指（６）の光学的走査によって行い、例えばＣＣＤチップまたはラインセンサを介して行う、請求項１から１０までのいずれか１項記載の方法。
【請求項１２】
立地点（Ａ）でネットワーク化された家庭では制御情報が中央で入力され、および／または種々の機器または家電機器（３）が制御され、および／または監視される、請求項１から１１までのいずれか１項記載の方法。
【請求項１３】
コストデータ、使用情報が記憶され、および／または処理され、有利には中央の装置で多次元構成されたメモリとしてのユーザメモリ（１４）に記憶する、請求項１から１２までのいずれか１項記載の方法。
【請求項１４】
ユーザの識別の際に、コストデータ、使用データを情報として光学的、音響的、および／またはその他の形態で出力し、とりわけローカルネットワーク（２３）を介して出力する、請求項１から１３までのいずれか１項記載の方法。
【請求項１５】
ユーザメモリ（１４）は家電機器（３）にあるインタフェース、ローカルネットワーク（２３）を介して、またはデータ線路（２９）を介して外部サービスプロバイダ（３０）により読出され、処理され、および／またはデータはその他のやり方で処理される、請求項１３または１４記載の方法。
【請求項１６】
家電機器（３）に制御情報を入力するための装置（１）であって、該家電機器は少なくとも部分的に電子制御部（１６）を有し、前記装置（１）はそれぞれのユーザをとりわけ指紋に基づいて生物測定学的に識別するために構成されている形式の装置において、
ユーザを生物測定学的に識別するための装置（５）がユーザメモリ（１４）と接続されており、
ユーザメモリ（１４）は階層的構造を有し、それぞれのユーザを複数のユーザレベルおよび／または権限レベルの１つに割当てるように構成されている、
ことを特徴とする装置。
【請求項１７】
ユーザメモリ（１４）は個別付加情報を各ユーザごとに記憶するよう構成されている、請求項１６記載の装置。
【請求項１８】
装置（１）は種々の機器または家電機器（３）において制御情報を伝送するように構成されている、請求項１６または１７記載の装置。
【請求項１９】
装置（１）はローカルネットワーク（２３）と接続されている、請求項１６から１８までのいずれか１項記載の装置。
【請求項２０】
請求項１から１５までの１つまたは複数記載の方法による家電機器、および／または
請求項１６から１９までの１つまたは複数記載の装置を有する制御システム。
【発明の詳細な説明】
【０００１】
本発明は、家電機器に制御情報を入力する方法、相応の装置および制御システムに関するものであり、ここではそれぞれのユーザの生物測定学的識別が例えば指紋に基づいて実行される。
【０００２】
家電機器領域において生物測定学的識別のための装置を使用することは例えばＷＯ００／４６７５６Ａ１から公知である。指紋を再識別することによりここでは家電機器がスイッチオンされる。ここで指紋は家電機器においてプログラムの特別の選択と結び付けることができる。
【０００３】
本発明の課題は、この方法および相応の装置と制御システムをさらに改善することである。
【０００４】
この課題は本発明により、請求項１の構成を有する方法および請求項１０の構成を有する装置によって解決される。さらに請求項１４の構成を有する制御システムも前記課題を解決する。本発明の有利な改善形態は従属請求項に記載されている。
【０００５】
家電機器を制御するための本発明の方法では、ユーザが生物測定学的識別によって複数のユーザレベルおよび／または権限レベルに割当てられる。これにより生物測定学的識別に対する新たな使用領域または適用が得られ、識別が２つだけの可能性に使われることがない。家電機器の領域では、可能性としての「ユーザ識別」と「ユーザ非識別」の後で、アクション「アクセス許容」と「アクセス却下」だけが実行できた。本発明により包括的権限を有する管理者と下位の通常のユーザとが区別される。本発明の方法に従って構成された家電機器は、複数のユーザおよび／または権限レベルの定義された特性によって、制御情報を入力するのに非常に異なる手段を有する。この制御情報は以降、種々の実施形態および実施例を基準にして別個に区別される。有利にはユーザにより選択された調整はこの家電機器の任意の他のユーザにより変更することはできない。本発明の実施例で変更権限は、比較的に高い階層にいるユーザにだけ認められる。これは例えば顧客サービスの同僚または管理権限を有するその他の管理者としての人物である。
【０００６】
本発明の改善形態では、各ユーザについて個別の付加情報が記憶される。これにより短時間の使用後には各ユーザに対して固有の好みが所定のプログラム内のパラメータ調整の際に識別され、これが以降、該当するユーザに対して初期値または標準値として新たな呼び出しの際に家電機器によって提案される。
【０００７】
有利には各権限レベルには付加情報が配属されている。この付加情報は学習プロセスの形態で異なる個々のユーザの多数の情報から導き出すことができる。とりわけこのことにより、ショート命令を略号として多層ないし多段の選択メニュー内で定義することができる。これによりユーザに依存して所望機能の調整の時間が節約される。本発明の特別の改善形態では、例えば台所で子供を識別するためにレンジが次のように構成されている。すなわちユーザとしての子供は指紋に基づいて制限された機能範囲でしか使用できないように構成されている。例えば前準備された食品を約５０から６０℃で加熱調理することは可能であるが、それより高い温度またはパン焼きがままたはグリルの使用は排除される。これにより火災の危険性が格段に低下する。子供に対しては家電機器を取り扱うため、いくつかの定義された権限によってのみ家電機器にアクセスすることができる。また子供が行う調整によってレンジが損傷されることもない。これにより家事の安全性が格段に向上し、環境への子供の好奇心および自立性が支援される。
【０００８】
本発明の特に重要な改善形態では、生物測定学的識別が失敗した場合および／または未知のユーザによる使用の場合には、所定の最小範囲の機能および／または調整可能性しかイネーブルされない。これにより有利な実施形態では、非常遮断等の機能はいずれのユーザでも、または登録されていないユーザでも行うことができる。このような手段は従来技術の方法で、自動化としての識別によっては不可能である。
【０００９】
生物測定学的識別は実施形態では、指紋の容量性測定によって行われる。これはとりわけシリコンチップの形態の半導体アレイによって行われる。択一的に指を光学的走査して識別することもできる。これは例えばＣＣＤチップまたはラインセンサを介して行う。識別システムのこれら変形実施例はそれぞれ種々のモードを有し、このモードにおいて新たなユーザを定義し、学習し、読出すことができる。
【００１０】
特に有利な改善形態では、本発明の方法はネットワーク化された家庭の現在地で実施される。これにより制御情報を中央で入力し、および／または種々の機器または家電機器を制御し、および／または監視することができる。種々の機器の特性は一度だけ設定して、共通に使用することができる。とりわけ家電機器内の冗長的部分システムの数はこの手段により格段に低減される。
【００１１】
コストデータ、使用情報は有利には記憶され、および／または処理される。これは有利には中央装置およびとりわけ多次元に構成されたメモリとしてのユーザメモリで行われる。とりわけ種々異なるユーザがアクセスする家電機器では、この構成は正確で使用に依存した課金のために非常に有利である。例えば複数家族のいる家や、多数の店子がいる場合、洗濯機をチェックリストなしですべての店子により使用することができる。ユーザを識別する際には、このコストデータ、使用情報を、光学的、音響的および／またはその他の形態で出力することができ、とりわけローカルネットワークを介して他の機器に出力することができる。本発明の実施形態では、ユーザメモリが家電機器でのインタフェースを介して、ローカルネットワークを介して、またはデータ線路を介して外部サービスプロバイダにより読出され、処理され、および／またはデータがさらに処理される。
【００１２】
指紋モジュールは選択的にレンジの操作ユニットの正面に取り付けることができる。例えばシステムレンジのガラスセラミックフィールドまたはパン焼きオーブンのグリップに取り付けることもできる。携帯操作モジュールに指紋モジュールを組み込むこともでき、台所にあるまたは家庭全体に関わる家電機器の群全体を操作および／またはコントロールすることができる。この実施例はとりわけ台所または家庭全体に関わる個々の要素を有する装置をネットワーク接続することが前提である。
【００１３】
有利には本発明の方法と相応の装置により、制御情報を確実かつ迅速に記録しながら入力することができる。制御情報の容量は前記の手段により調整することができる。ここで家電機器はローカルネットワークおよび／またはデータ接続を介してサービスプロバイダと接続することができ、付加的な特性を使用することができる。従って本発明の方法は、本発明の家電機器の製造者に対して新たなビジネス分野を提供する。製造者は、種々のサービスのいつでも使用可能なサービス仲介者、ないしネットワーク提供者およびプロバイダとして出現し、これらのサービスを中央のサービスプロバイダで検出することができる。このサービスは、前記のサービスと同じように、サービスプロバイダとしての機器製造者により遂行される。この種のサービスの要求は有料に構成することができる。その使用は有利には顧客としての家電機器提供者の自由選択である。ここで必要な情報は電気データの形態で処理される。これにより情報に対する保管および状態管理は大容量電子記憶媒体と相応の計算装置でまとめて行われる。中央の課金ステーションのサービス能力を取り入れることもできる。
【００１４】
以下、本発明の実施例を図面に基づいて詳細に説明する。
【００１５】
図１は、本発明の装置の基本概略図である。
【００１６】
図２は、立地点でネットワーク化された家電機器のシステムを示す概略図である。
【００１７】
本発明の装置１（図１）は、第１の実施形態では家電機器３の表示および制御開口部２に組み込まれている。表示および制御開口部２は図１の構成では部分的にしか示されておらず、指紋モジュール５の形態の生物測定学的識別装置の構成と組み込みが示されている。指６を単に載置するだけでユーザは装置１において、後で説明する、家電機器３に対する制御情報の入力方法をトリガする。
【００１８】
指紋モジュール５は指６ないし指頭部のプロフィールを容量的に測定するためのシリコンチップ８を有する。記録されたパターンはシリコンチップ８から評価ユニット９へ伝送され、記録されたパターンとデータバンクまたはアーカイブ１１からのパターンとが評価ユニットで比較される。この比較結果は情報１３として多次元構成されたメモリ１４に、所定の権限階層内での個人関連データを見出すために転送される。ユーザが自分の指６の指紋を介して指紋モジュール５とアーカイブ１１によって識別された場合、このユーザには自動的にメモリ１４から機能１５が、または特別の機能選択が制御情報としてユーザに割当てられた権限レベル内で使用される。それ以外の場合、機能１５としてとりわけ非常遮断がすでに行われ、家電機器３の中央制御部１６に転送される。これによりアーカイブ１１内で見出されないユーザでは家電機器３が直ちに遮断される。
【００１９】
ここに示さない平文表示器または高解像度のグラフィック表示装置を使用する場合には、この種の情報を、適合出力ユニット１８を介して簡単に従来技術で処理し、個別に制御信号１９を介して表示することができる。この場合、表示および制御開口部２には別個の光学的表示部２０，音響的出力装置２１またはユーザに触覚的フィードバックを行うための装置を設けることができる。
【００２０】
第２の実施例（図２）では、本発明の装置１がローカルネットワーク２３に組み込まれており、有線または無線のデータ接続２４を介して立地点Ａで種々の家電機器３の中央制御部１６と接続されている。無線データ接続２４を形成するために、図示の過程ではブルートゥース標準規格によるインタフェースが使用される。このインタフェースは有線接続されたデータ接続２４により補完される。権限階層での個人関連データを有する多次元構成されたメモリ１４は星状ネットワーク構造でのノードとして用いられる。このネットワーク構造には評価ユニット９とアーカイブ１１を多数の機器３による使用のために中央で組み込むことができる。
【００２１】
平均的家庭の家電機器３として例えば、洗濯機２５，レンジ２６，食器洗浄機２７およびコーヒーおよびエスプレッソメーカ２８が示されている。指紋モジュール５のシリコンチップ８はアクセスコントロールとして概略的に示した家庭の入口に配置されている。これにより指紋モジュールは玄関ドアの鍵となる。ユーザを識別することにより、多種多様なアクションがトリガされる。光学的表示器２１は玄関ドアの開放をシグナリングし、またコーヒーおよびエスプレッソメーカ２８は時計時間に依存して、使用すべきコーヒーおよび入れるべきコーヒー量についての個人関連パラメータを備える所定のプログラムに対する制御命令を受け取る。ユーザに依存する情報をユーザメモリ１４に常時補充することによって、個人的なユーザプロフィールが作成され、これにより家庭における所定のユーザの使用習慣をローカル家庭ネット２３で一義的に割当てることができる。各家電機器３はこれに基づき、ユーザに固有の使用提案を建設的に行うことができる。レンジ２６は、良くローストしたものを好むユーザに、ローストポークの焼き上がり時間の終了をさらに延長するか、および／または別の手段を提案し、これによりこんがりと良く焼き上がるようにする。
【００２２】
特別のデータ線路２９を介してサービスユーザのローカルネットワーク２３、すなわち家電機器３の使用者は立地点Ａで装置１の顧客として外部のサービスプロバイダ３０と接続されている。データ線路２９はグローバルネットワーク４，例えば移動無線ネットワークまたはインターネットの一部である。従って制御システム１は非常にフレキシブルに制御情報の送受信のために構成することができる。この種の情報は宣伝的性質のものとすることもできる。従って上記のレンジ２６の例ではユーザに新しいグリルソースを宣伝したり、ローストのかりかりの表面にビール等を塗ることを喚起したりすることができる。
【００２３】
図２の装置１はもちろん多種多様に家庭で構成し、ネットワーク化することができる。これにより大きな複雑な集合体の中で個人の位置特定を行うことができる。例えば台所または他の危険個所では、種々異なる使用権限を設定できる。とりわけこのことは種々の子供保護に該当する。子供にはアクセスを一般的には禁止することができる。ただしシステムがすでにその空間に大人が存在しており、大人が子供を監督できる場合は除く。レンジ２６はこれまで子供による誤操作から、スイッチがほとんど手の届かない高さにあることによって保護されている。しかし子供の想像力と発見の欲求には装置１は実質的に無力である。子供は何にでも触ろうとする。パン焼きがまの開放命令は資格なしで実行されてはならない。ホットプレートも火傷しない程度までに制限すべきである。このようにして火事およびその他の損傷の危険性が公知の手段に対して格段に低減される。センサは汚れに対する保護カバーを有するシリコンチップ８の形態で、各ユーザ並びにその指６が押さえなければならない場所に取り付けられる。これは操作および表示開口部２またはそのグリップ等である。清掃の際や誤って接触した場合の誤操作はさらに、妥当性問い合わせによってほぼ排除できる。さらに承認されているユーザによる調整および／またはプログラミングの終了後には、不当な変更に対して保護される。子供も変更を行うことはできない。承認されているユーザを新たに識別して初めて、再変更を行うことができる。子供保護の各形式も権限のあるユーザの指をしっかりと載置することによりアクティベートされ、再び載置することによりデアクティベートされる。このときにマウスを走らせたりする必要はない。ただし非常遮断の場合はこの限りではない。
【００２４】
装置１は図示しない本発明の実施例では、テレビジョン受信機の調整および予選択のためのアクセスコントロールとして使用される。古典的なテレビジョン受信機は、インターネットアクセスおよび多種多様の有料映画番組、並びに仮想商店での注文可能性等によってその機能がますます拡張されている。従ってアクセスコントロールおよびユーザの識別が課金並びに青少年保護の理由から必要である。指紋モジュール５はそのために有利には遠隔操作装置、またはその他の操作装置、例えば無線キーボード等に組み込まれている。従ってユーザはボタンプッシュまたはセンサタッチによるスイッチオンの際に自動的に自分の指紋によって識別される。アーカイブ１１には各人物およびその権限ごとに、種々のテレビジョン番組、ニュースチャネル、映画希望等についての予選択がファイルされている。これによりユーザの設定後に、このユーザプロフィールに基づいて歓迎のために、個人関連番組一覧をインポーズすることができる。この番組一覧は古典的な番組タイムチャートの手段にほぼ該当する。
【図面の簡単な説明】
【図１】
図１は、本発明の装置の基本概略図である。
【図２】
図２は、立地点でネットワーク化された家電機器のシステムを示す概略図である。
【国際公開パンフレット】
2004524615.tif 000003
2004524615.tif 000004
2004524615.tif 000005
2004524615.tif 000006
2004524615.tif 000007
2004524615.tif 000008
2004524615.tif 000009
2004524615.tif 000010
2004524615.tif 000011
2004524615.tif 000012
2004524615.tif 000013
2004524615.tif 000014
2004524615.tif 000015
2004524615.tif 000016
2004524615.tif 000017
2004524615.tif 000018
【国際公開パンフレット（コレクトバージョン）】
2004524615.tif 000019
2004524615.tif 000020
【国際調査報告】
2004524615.tif 000021
2004524615.tif 000022
2004524615.tif 000023
2004524615.tif 000024
2004524615.tif 000025
2004524615.tif 000026